(57)【特許請求の範囲】
【請求項１】
ハウジングと、
前記ハウジング内に配置されたプリント回路基板と、
前記プリント回路基板の縁部を受け入れる内部キャビティを有する湾曲マウントを介して前記縁部に取り付けられた湾曲アンテナを含む少なくとも１つのネットワークインターフェースとを備え、
前記湾曲アンテナは、全体的に前記ハウジング内に配置されると共に、前記プリント回路基板の縁部に取り付けられている、小型化無線ルータ。
【請求項２】
前記ハウジングは、約４８３８．７ｍｍ２（７．５平方インチ）以下の体積を有する、請求項１に記載の小型化無線ルータ。
【請求項３】
前記湾曲アンテナは、可撓性プリント回路基板から形成される、請求項１に記載の小型化無線ルータ。
【請求項４】
前記可撓性プリント回路基板は、約９０．１７ｍｍ（３．５５インチ）以下の長さおよび約６３．５ｍｍ（２．５インチ）以下の幅をそれぞれ有する、請求項３に記載の小型化無線ルータ。
【請求項５】
前記湾曲アンテナは、Ｗｉｆｉ、ブルートゥース（登録商標）、および、セルラー信号のうちの少なくとも１つを送受信するように動作可能である、請求項１に記載の小型化無線ルータ。
【請求項６】
メモリストレージドライブ
をさらに備える、請求項１に記載の小型化無線ルータ。
【請求項７】
ハウジングと、前記ハウジング内に配置されたプリント回路基板と、少なくとも１つのネットワークインターフェースとを含む小型化無線ルータと、
前記小型化無線ルータを介して互いに電子的に通信するように動作可能である第１のネットワークデバイスおよび第２のネットワークデバイスとを備え、
前記少なくとも１つのネットワークインターフェースは、前記プリント回路基板の縁部を受け入れる内部キャビティを有する湾曲マウントを介して前記縁部に取り付けられた湾曲アンテナを有し、
前記湾曲アンテナは、全体的に前記ハウジング内に配置されると共に、前記プリント回路基板の縁部に取り付けられている、システム。
【請求項８】
前記ハウジングは、約４８３８．７ｍｍ２（７．５平方インチ）以下の体積を有する、請求項７に記載のシステム。
【請求項９】
前記湾曲アンテナは、可撓性プリント回路基板から形成される、請求項７に記載のシステム。
【請求項１０】
前記可撓性プリント回路基板は、約９０．１７ｍｍ（３．５５インチ）以下の長さおよび約６３．５ｍｍ（２．５インチ）以下の幅をそれぞれ有する、請求項９に記載のシステム。
【請求項１１】
前記湾曲アンテナは、Ｗｉｆｉ、ブルートゥース（登録商標）、および、セルラー信号のうちの少なくとも１つを送受信するように動作可能である、請求項７に記載のシステム。
【請求項１２】
前記小型化無線ルータは、メモリストレージドライブをさらに含む、請求項７に記載のシステム。
【請求項１３】
第１のネットワークデバイスを、ハウジングと、前記ハウジング内に配置されたプリント回路基板と、少なくとも１つのネットワークインターフェースとを含む小型化無線ルータを介して第２のネットワークデバイスと電子的に通信させることと、
外部アンテナアセンブリを前記ハウジングに接続することであって、前記外部アンテナアセンブリは、ハウジングと、前記外部アンテナアセンブリのハウジング内に配置された少なくとも１つのネットワークインターフェースとを備え、前記少なくとも１つのネットワークインターフェースは、前記小型化無線ルータのハウジング外でかつ前記外部アンテナアセンブリのハウジング内に配置される湾曲アンテナを含むこととを含み、
前記少なくとも１つのネットワークインターフェースは、前記プリント回路基板の縁部を受け入れる内部キャビティを有する湾曲マウントを介して前記縁部に取り付けられた湾曲アンテナを含む、方法。
【請求項１４】
前記ハウジングは、約４８３８．７ｍｍ２（７．５平方インチ）以下の体積を有する、請求項１３に記載の方法。
【請求項１５】
前記湾曲アンテナは、約９０．１７ｍｍ（３．５５インチ）以下の長さおよび約６３．５ｍｍ（２．５インチ）以下の幅をそれぞれ有する可撓性プリント回路基板から形成される、請求項１３に記載の方法。
【発明の詳細な説明】
【技術分野】
【０００１】
本発明の実施形態は、概して、コンピュータネットワーキングデバイスに関し、具体的には、小型化無線ルータに関する。
【背景技術】
【０００２】
無線ルータは、ルータの機能を実行するとともに無線アクセスポイントの機能も含むデバイスである。無線ルータは、インターネットまたはプライベートコンピュータネットワークへのアクセスを提供するために使用される。無線ルータは、有線ローカルエリアネットワーク（「ＬＡＮ」）、無線専用ＬＡＮ（「ＷＬＡＮ」）、または有線／無線の混合ネットワークで機能することができる。特に、無線ルータは、少数の有線ネットワークデバイスと任意の数の無線ネットワークデバイスとを相互にしたりインターネットに接続したりするとともに、ファイルの共有および印刷を提供する便利な方法を提供する。
【０００３】
しかしながら、既存の無線ルータは、典型的には、サイズ／体積が大きすぎて、例えば、約５１６１．２８ｍｍ２（８．０平方インチ）以下の体積を有するスペース等、限られたスペースに収まらない。より小さなサイズのルータでさえ、典型的には、例えば「ネットワークトラフィック」などのデータ送受信のために「ラビットアンテナ」として知られる１つ以上の外部アンテナを使用する必要がある。このようなルータのラビットアンテナは、典型的には、１２７〜１５２．４ｍｍ（５〜６インチ）程度の長さを有しているため、上記の無線ルータによって占有される有効体積を増加させてしまう。
【０００４】
それゆえ、改良された小型化無線ルータが要求されている。
【発明の概要】
【発明が解決しようとする課題】
【０００５】
実施形態では、小型化無線ルータが提供される。
【課題を解決するための手段】
【０００６】
小型化無線ルータは、ハウジングと、その中に配置された少なくとも１つのネットワークインターフェースとを含む。ハウジングは、約４８３８．７ｍｍ２（７．５平方インチ）以下の有効体積を有する。
【０００７】
実施形態では、別の小型化無線ルータが提供される。小型化無線ルータは、ハウジングと、少なくとも１つのネットワークインターフェースとを含む。少なくとも１つのネットワークインターフェースは、ハウジング内に配置された湾曲アンテナを含む。
【０００８】
別の実施形態では、システムが提供される。システムは、小型化無線ルータと、第１のネットワークデバイスと、第２のネットワークデバイスとを含む。小型化無線ルータは、ハウジングと、少なくとも１つのネットワークインターフェースとを含む。少なくとも１つのネットワークインターフェースは、ハウジング内に配置された湾曲アンテナを有する。第１のネットワークデバイスおよび第２のネットワークデバイスは、小型化無線ルータを介して互いに電子的に通信するように動作可能である。
【０００９】
さらに別の実施形態では、方法が提供される。方法は、ハウジングと少なくとも１つのネットワークインターフェースとを含む小型化無線ルータを介して、第１のネットワークデバイスを第２のネットワークデバイスと電子的に通信させることを含む。少なくとも１つのネットワークインターフェースは、ハウジング内に配置された湾曲アンテナを含む。
【００１０】
本発明は、添付の図面を参照しながら非限定的な実施形態の以下の説明を読むことで、より理解される。
【図面の簡単な説明】
【００１１】
【図１】本発明の実施形態による小型化無線ルータの斜視図。
【図２】本発明の実施形態による図１の小型化無線ルータを組み込んだシステムの図。
【図３】本発明の実施形態による図１の小型化無線ルータの分解図であり、小型化無線ルータはプリント回路基板（「ＰＣＢ」）アセンブリを有する。
【図４】本発明の実施形態による図３のＰＣＢアセンブリの代替実施形態の図。
【図５】本発明の実施形態による図４のＰＣＢアセンブリの湾曲アンテナの図。
【図６】本発明の実施形態による図４のＰＣＢアセンブリの湾曲アンテナの別の図。
【図７】本発明の実施形態による図４のＰＣＢアセンブリの湾曲アンテナの別の図。
【図８】本発明の実施形態による図４のＰＣＢアセンブリの湾曲アンテナの別の図。
【図９】本発明の実施形態による図４のＰＣＢアセンブリの湾曲アンテナの別の図。
【図１０】本発明の実施形態による図４のＰＣＢアセンブリの湾曲アンテナの別の図。
【図１１】本発明の実施形態による図４のＰＣＢアセンブリの湾曲アンテナの別の図。
【図１２】本発明の実施形態による図４のＰＣＢアセンブリの湾曲アンテナの別の図。
【図１３】本発明の実施形態による図４〜図１２の湾曲アンテナの可撓性ＰＣＢの図。
【図１４】本発明の実施形態による湾曲アンテナを組み込んだ外部アンテナアセンブリの分解図。
【発明を実施するための形態】
【００１２】
以下、本発明の例示的な実施形態について詳細に参照し、その例が添付の図面に示されている。可能な限り、図面全体で使用される同じ参照符号は、重複する説明を行うことなく、同一のまたは同様な部分を指す。
【００１３】
本明細書において使用される「実質的に」、「概して」、「約」という用語は、構成要素またはアセンブリの機能目的を達成するのに適した理想的な望ましい条件に対して、合理的に達成可能な製造およびアセンブリの公差内の条件を示す。本明細書において使用される「電気的に結合される」、「電気的に接続される」、「電気通信」という記載は、電流が一方から他方に流れ得るように参照要素が直接的にまたは間接的に接続されることを意味する。この接続は、直接的な導電接続（すなわち、容量要素、誘導要素、または能動要素を介さない接続）、誘導接続、容量接続、および／または任意の他の適切な電気接続を含み得る。介在する構成要素が存在していてもよい。本明細書においてネットワークデバイスに関して使用される「ネットワークインタフェース」という用語は、コンピュータネットワーク接続（例えば、ＴＣＰ／ＩＰ接続）をサポートする物理ネットワーク接続インタフェース（例えば、無線ポートおよび／またはＲＪ−４５や同軸接続などの有線接続ポートを有するイーサネット（登録商標）カード）を指す。本明細書において使用される「リアルタイム」という用語は、ユーザが十分に即座と感じるか、プロセッサが外部の処理に追従することができる処理応答性のレベルを意味する。
【００１４】
さらに、本明細書では、ＴＣＰ／ＩＰスタック準拠のネットワーキングデバイスに関して本発明の実施形態を説明するが、本明細書に開示される実施形態と原理は、パケットのスイッチングおよび／またはルーティングを提供する他のネットワークパラダイム（例えば、ＩＰＸ／ＳＰＸ）にも同様に適用可能であることが理解され得る。
【００１５】
ここで図１を参照すると、本発明の実施形態による、以下で単に「ルータ」とも称される小型化無線ルータ１０が示されている。図２に示すように、ルータ１０は、ルータ１０が第１のネットワークデバイス１４を第２のネットワークデバイス１６と電子的に通信させるように動作可能であるシステム１２に組み込まれることができる。理解されるように、第１のネットワークデバイス１４および第２のネットワークデバイス１６は、それぞれインターネット２２を介して接続された別個のネットワーク１８および２０に位置し得る。このような実施形態では、ルータ１０は、例えば開放型システム間相互接続（ＯＳＩ：Ｏｐｅｎ  Ｓｙｓｔｅｍｓ  Ｉｎｔｅｒｃｏｎｎｅｃｔｉｏｎ）レイヤ３デバイスなどのゲートウェイデバイスとして機能し得る。しかし、理解されるように、ルータ１０は、ゲートウェイデバイスの背後にあり得、例えばスイッチなどのＯＳＩレイヤ２デバイスとしても機能し得る。以下により詳細に説明するように、ルータ１０は、約４８３８．７ｍｍ２（７．５平方インチ）以下の有効体積を占める。このように、ルータ１０は、例えば自動預け払い機（ＡＴＭ：Ａｕｔｏｍａｔｉｃ  Ｔｅｌｌｅｒ  Ｍａｃｈｉｎｅｓ）、自動販売機、および／または、ネットワーク機器を組み込むためのスペースが限られている他の環境などの埋め込み環境での使用に対して理想的である。
【００１６】
ここで図３を参照すると、ルータ１０の分解図が示されている。実施形態では、ルータ１０は、約４８３８．７ｍｍ２（７．５平方インチ）以下の体積を有する、上部カバー２４および下部カバー２６によって形成され得るハウジングを含む。実施形態では、ルータ１０は、プリント回路基板（「ＰＣＢ」）アセンブリ２８、１つ以上のアンテナ３０、例えば電池などの電源３２、ハウジング２４、２６に配置された１つ以上のラベル３４および３６、例えばネジなどの１つ以上の留め具３８、例えばデュアルロックサークルなどの薄型脚部４０、ならびに／または、例えばリセットボタンなどのユーザ物理入力機構４２をさらに含み得る。
【００１７】
ハウジング２４、２６は、プラスチック、複合材、電波の送受信を過度に妨害しない金属、木材、および／または、任意の他の適切な材料から形成されている。図３に示されるように、ハウジング２４、２６は、上部オーバーレイ４４および後部オーバーレイ４６を有し得る。上部オーバーレイ４４は、１つ以上のインジケータライト４８の上に収まり得、後部オーバーレイ４６は、電力入力ポート５０、例えばＲＪ−４５メスコネクタなどの有線ネットワークインターフェースポート５２、ＵＳＢ５４、および／または、他のさまざまな接続／インターフェースポートを有し得る。インジケータライト４８は、無線信号強度、例えば電池寿命などの電源３２の状態、例えば接続および受信トラフィックなどの接続ステータス状態、例えばＬＴＥ、ＷｉＦｉ、ブルートゥース（登録商標）などの接続タイプ、および／または、他のさまざまな表示のうちの１つ以上を示し得る。
【００１８】
ＰＣＢアセンブリ２８は、ＰＣＢ５６、電源３２、少なくとも１つのプロセッサ５８、例えばランダムアクセスメモリ（「ＲＡＭ」）などのメモリ６０、および、例えばハードディスクなどのメモリストレージユニット／ドライブ６２を含む。図３に示されるように、ＰＣＢ５６は、メモリストレージユニット６２に隣接して取り付けられた電源３２とともに、メモリストレージユニット６２の周りに適合するように形成されている。
【００１９】
上述のように、電源３２は、例えば２つの単四形アルカリ電池などの１つ以上の電池を含み得る。しかし、他の実施形態では、電源は、リチウムイオン電池であり得る。電源３２は、電力入力ポート５０を介してルータ１０に接続された電源によって充電され得る。
【００２０】
メモリストレージユニット／ドライブ６２は、ハードディスク、ソリッドステート、および／または、任意の他の適切なメモリストレージデバイスであり得る。例えば、実施形態では、メモリストレージユニット６２は、１テラバイト以上のストレージ容量を有するソリッドステートドライブであり得る。理解されるように、メモリストレージユニット６２は、オペレーティングシステムおよびネットワークメモリ共有のストレージ、またはオペレーティングシステムもしくはネットワークメモリ共有のストレージを提供する。実施形態において、オペレーティングシステムは、ユーザがルータ１０の１つ以上の設定を構成できる管理ウェブインターフェースを提供し得る。
【００２１】
１つ以上のアンテナ３０は、例えば８０２．１１などのＷｉｆｉ、ブルートゥース、例えばＬＴＥなどのセルラー、ならびに／または、他の標準および／もしくは独自の無線通信プロトコルのうちの１つ以上を介して、ルータ１０が他のネットワークデバイスと電子的に通信することを可能にする。言い換えれば、ルータ１０は、少なくとも１つのアンテナ３０を介して提供される少なくとも１つのネットワークインターフェースを有する。実施形態では、アンテナ３０のうちの少なくとも１つは、２．４／５ＧＨｚのスタンドアロン１６ｍｍアンテナであり得る。図３のアンテナ３０は平坦に示されているが、以下でより詳細に説明されるように、実施形態では、アンテナ３０は湾曲され得る。
【００２２】
例えば、図４は、４つの湾曲アンテナ３０を有するＰＣＢアセンブリ２８の実施形態を示す。理解されるように、アンテナ３０は、湾曲マウント６４（図５〜図１２に最もよく見られる）を介して、図示されるＰＣＢ５６の縁部に取り付けられ得る。湾曲マウント６４は、内部キャビティ６６（図８および図１２で最もよく見られる）、ＰＣＢ５６の縁部を受け入れるスリット６８、および／または、ＰＣＢ５６に対して上／下に適合するおよび／または別様に取り付けられる個以上の支持脚部７０を含む。理解されるように、実施形態では、内部キャビティ６６は湾曲形状を有するが、湾曲マウント６４の外部は任意の形状であり得る。さらに、湾曲マウント６４は、プラスチック、電波の伝送を実質的に妨げない金属、木材、および／または、他の適切な材料から形成されている。
【００２３】
図１３に示されるように、アンテナ３０は、可撓性ＰＣＢ７２から形成され得る。実施形態において、可撓性ＰＣＢ７２は、約９０．１７ｍｍ（３．５５インチ）の長さＬ、約６３．５ｍｍ（２．５インチ）の幅Ｗ、および／または、約２１．５９ｍｍ（０．８５インチ）の高さを有し得る。実施形態において、可撓性ＰＣＢ７２は、約９０．２ｍｍ（３．５５インチ）の長さＬ、約６３．５ｍｍ（２．５インチ）の幅Ｗ、および／または、約２１．７ｍｍ（０．８５インチ）の高さを有し得る。理解されるように、可撓性ＰＣＢ７２は、約６．３５（０．２５インチ）の半径Ｒ（図１１に最もよく見られる）を有するように湾曲され得る。図１３にさらに示されるように、可撓性ＰＣＢ７２は、１つ以上のプリント配線７４を含み得る。理解されるように、半径Ｒ、長さＬ、幅Ｗ、および／または、可撓性ＰＣＢ７２上のワイヤ７４の配置を含むアンテナ３０の設計／構成は、Ｗｉｆｉ、ブルートゥース、セルラー、および／または、他の無線プロトコルに従って信号を送信および受信または送信もしくは受信するように構成されている。アンテナ３０はまた、可撓性ＰＣＢ７２の湾曲形状を維持する湾曲バッキング７６を含み得る。言い換えれば、可撓性ＰＣＢ７２は、バッキング７６の周りに巻き付けられ得、可撓性ＰＣＢ７２およびバッキング７６は、湾曲マウント６４の内部キャビティ６６に固定される。重要なことに、アンテナ３０の特定の構成とその湾曲形状とにより、アンテナ３０をＰＣＢ５６の縁部にクリップ留めすることができ、したがって、ハウジング２４、２６内にアンテナを収容するのに必要なスペースの量が最小限に抑えられる。
【００２４】
ここで図１４を参照すると、実施形態において、湾曲アンテナ３０は、湾曲マウント６４を介して、例えばラビットアンテナなどの外部アンテナアセンブリ８２のハウジング８０内に配置される細長いＰＣＢ７８に固定され得る。アンテナアセンブリ８２は、ハウジング２４、２６の外部にあることが意図されており、信号の送受信範囲を拡大し得る。
【００２５】
理解されるように、アンテナ３０を細長いＰＣＢ７８にクリップ留めすることができることと、湾曲形状とにより、外部アンテナアセンブリ８２は、無線ルータ用の従来のラビットアンテナ型のアンテナよりも小さいフォームファクタを有することができる。したがって、アンテナアセンブリ８２は、小さなフットプリント、すなわち、最小限のスペース使用、および、範囲の拡大された無線ルータを提供する。
【００２６】
最後に、ルータ１０は、本明細書に記載される機能をリアルタイムで実行するためおよび／または本明細書に記載される結果をリアルタイムで達成するための必要な電子機器、ソフトウェア、メモリ、ストレージ、データベース、ファームウェア、ロジック／ステートマシン、マイクロプロセッサ、通信リンク、ディスプレイあるいは他の視覚もしくは音声ユーザインタフェース、印刷デバイス、および他の入力／出力インタフェースを含み得ることも理解され得る。例えば、上記のように、システムは、少なくとも１つのプロセッサと、ランダムアクセスメモリ（ＲＡＭ）および読み出し専用メモリ（ＲＯＭ）を含み得るシステムメモリ／データストレージ構造とを含み得る。システムの少なくとも１つのプロセッサは、１つまたは複数の汎用マイクロプロセッサと、数値演算プロセッサなどの１つまたは複数の補助コプロセッサとを含み得る。本明細書に記載されるデータストレージ構造は、磁気メモリ、光学メモリ、および／または半導体メモリの適切な組み合わせを含むことができ、例えば、ＲＡＭ、ＲＯＭ、フラッシュドライブ、コンパクトディスクなどの光ディスク、および／またはハードディスクもしくはドライブを含み得る。
【００２７】
また、本明細書に開示される方法をコントローラに実行させるように構成されたソフトウェアアプリケーションが、コンピュータ可読媒体から少なくとも１つのプロセッサのメインメモリに読み込まれ得る。本明細書において使用される「コンピュータ可読媒体」という用語は、ルータ１０の少なくとも１つのプロセッサ（または本明細書に記載されるデバイスの任意の他のプロセッサ）に実行のための命令を提供するか、もしくは命令を提供することに関与する任意の媒体を指す。このような媒体は、不揮発性媒体および揮発性媒体を含むがこれらに限定されない多くの形態を取り得る。不揮発性メディアとしては、例えばメモリなどの、光学ディスク、磁気ディスク、または光磁気ディスクが挙げられる。揮発性メディアとしては、一般的にメインメモリを構成するダイナミックランダムアクセスメモリ（ＤＲＡＭ）が挙げられる。コンピュータ可読媒体の一般的な形態には、例えば、フロッピー（登録商標）ディスク、フレキシブルディスク、ハードディスク、磁気テープ、その他の磁気媒体、ＣＤ−ＲＯＭ、ＤＶＤ、その他の光学媒体、ＲＡＭ、ＰＲＯＭ、ＥＰＲＯＭ、またはＥＥＰＲＯＭ（電子的に消去可能な、プログラム可能な読み出し専用メモリ）、ＦＬＡＳＨ−ＥＥＰＲＯＭ、その他のメモリチップもしくはカートリッジ、またはコンピュータ読み取り可能なその他の媒体が含まれる。
【００２８】
なお、実施形態では、ソフトウェアアプリケーション内の命令シーケンスの実行によって少なくとも１つのプロセッサが本明細書に記載される方法／プロセスを実行するが、ソフトウェア命令に代えてまたはそれと組み合わせて、本発明の方法／プロセスを実装するためにハードワイヤード回路が用いられてもよい。従って、本発明の実施形態は、ハードウェアおよび／またはソフトウェアの特定の組み合わせに限定されない。
【００２９】
さらには、上記の説明は例示的なものであり、限定的なものではないことを理解されたい。例えば、上記各実施形態（および／またはその態様）は互いに組み合わせて使用することができる。また、本発明の教示に特定の状況または材料を適合させるために本発明の範囲から逸脱することなく多くの変形を行うことができる。
【００３０】
例えば、実施形態では、小型化無線ルータが提供される。小型化無線ルータは、ハウジングと、その中に配置された少なくとも１つのネットワークインターフェースとを含む。ハウジングは、約４８３８．７ｍｍ２（７．５平方インチ）以下の有効体積を有する。
【００３１】
他の実施形態は、別の小型化無線ルータを提供する。小型化無線ルータは、ハウジングと、少なくとも１つのネットワークインターフェースとを含む。少なくとも１つのネットワークインターフェースは、ハウジング内に配置された湾曲アンテナを含む。特定の実施形態において、ハウジングは、約４８３８．７ｍｍ２（７．５平方インチ）以下の体積を有する。特定の実施形態において、小型化無線ルータは、ハウジング内に配置されたプリント回路基板をさらに含む。このような実施形態では、湾曲アンテナは、プリント回路の縁部に沿って配置される。特定の実施形態では、湾曲アンテナは、湾曲マウントを介して縁部に取り付けられる。特定の実施形態において、湾曲アンテナは、可撓性プリント回路基板から形成される。特定の実施形態において、可撓性プリント回路基板は、それぞれ約９０．１７ｍｍ（３．５５インチ）以下の長さおよび約６３．５ｍｍ（２．５インチ）以下の幅を有する。特定の実施形態では、湾曲アンテナは、Ｗｉｆｉ、ブルートゥース、および、セルラー信号のうちの少なくとも１つを送受信するように動作可能である。特定の実施形態において、小型化無線ルータは、メモリストレージドライブをさらに含む。
【００３２】
他の実施形態は、システムを提供する。システムは、小型化無線ルータ、第１のネットワークデバイス、および、第２のネットワークデバイスを含む。小型化無線ルータは、ハウジングと、少なくとも１つのネットワークインターフェースとを含む。少なくとも１つのネットワークインターフェースは、ハウジング内に配置された湾曲アンテナを有する。第１のネットワークデバイスおよび第２のネットワークデバイスは、小型化無線ルータを介して互いに電子的に通信するように動作可能である。特定の実施形態では、ハウジングは、約４８３８．７ｍｍ２（７．５平方インチ）以下の体積を有する。特定の実施形態において、小型化無線ルータは、ハウジング内に配置されたプリント回路基板をさらに含む。このような実施形態では、湾曲アンテナは、プリント回路の縁部に沿って配置される。特定の実施形態では、湾曲アンテナは、湾曲マウントを介して縁部に取り付けられる。特定の実施形態において、湾曲アンテナは、可撓性プリント回路基板から形成される。特定の実施形態において、可撓性プリント回路基板は、それぞれ約９０．１７ｍｍ（３．５５インチ）以下の長さおよび約６３．５ｍｍ（２．５インチ）以下の幅を有する。特定の実施形態では、湾曲アンテナは、Ｗｉｆｉ、ブルートゥース、および、セルラー信号のうちの少なくとも１つを送受信するように動作可能である。特定の実施形態において、小型化無線ルータは、メモリストレージドライブをさらに含む。
【００３３】
さらに他の実施形態は、方法を提供する。方法は、第１のネットワークデバイスを、ハウジングと少なくとも１つのネットワークインターフェースとを含む小型化無線ルータを介して第２のネットワークデバイスと電子的に通信させることを含む。少なくとも１つのネットワークインターフェースは、ハウジング内に配置された湾曲アンテナを含む。特定の実施形態において、ハウジングは、約４８３８．７ｍｍ２（７．５平方インチ）以下の体積を有する。特定の実施形態において、小型化無線ルータは、ハウジング内に配置されたプリント回路基板をさらに含む。このような実施形態では、湾曲アンテナは、プリント回路の縁部に沿って配置される。特定の実施形態では、湾曲アンテナは、湾曲マウントを介して縁部に取り付けられる。特定の実施形態において、湾曲アンテナは、可撓性プリント回路基板から形成される。特定の実施形態において、可撓性プリント回路基板は、それぞれ約９０．１７ｍｍ（３．５５インチ）以下の長さおよび約６３．５ｍｍ（２．５インチ）以下の幅を有する。特定の実施形態において、小型化無線ルータを介して第１のネットワークデバイスを第２のネットワークデバイスと電子的に通信させることは、湾曲アンテナを介してＷｉｆｉ、ブルートゥース、および、セルラー信号のうちの少なくとも１つを受信することを含む。特定の実施形態では、第１のネットワークデバイスを小型化無線ルータを介して第２のネットワークデバイスと電子的に通信させることは、湾曲アンテナを介してＷｉｆｉ、ブルートゥース、および、セルラー信号のうちの少なくとも１つを送信することを含む。特定の実施形態において、小型化無線ルータは、メモリストレージドライブをさらに含む。
【００３４】
したがって、理解されるように、小型化無線ルータを提供することにより、本発明のいくつかの実施形態は、既存の設計よりも小さいフォームファクタでネットワーク接続性を提供する能力を提供する。したがって、本発明のいくつかの実施形態は、既存の無線ルータには小さすぎる埋め込み環境において無線ルータを展開する能力を提供し得る。
【００３５】
加えて、本明細書に記載される材料の寸法およびタイプは、本発明のパラメータを定義することを意図しているが、それらは限定を意図するものではなく、例示的な実施形態である。上記の説明を検討すると、当業者には他の多くの実施形態が明らかである。従って、本発明の範囲は、添付の特許請求の範囲を参照して、そのような特許請求の範囲が権利を与えられる均等物の全範囲とともに決定されるべきである。添付の特許請求の範囲において、「〜を含む」および「〜であって」という用語は、「〜を備える」および「〜において」という用語のそれぞれ同等語として使用される。さらに、請求項における「第１」、「第２」、「第３」、「上部」、「下部」、「頂部」、「底部」などの用語は単にラベルとして使用され、それらの物体に順序または位置の要件を課すことを意図するものではない。さらに、請求項の限定は機能的手段（means-plus-function）の形式では記載されておらず、「〜手段」の後にさらなる構造の説明なしに機能の説明が続く記載を用いない限り、そのような請求項の限定は機能的手段として解釈されることを意図しない。
【００３６】
この明細書の記載は、複数の例を使用して最良の形態を含む本発明のいくつかの実施形態を開示するとともに、当業者がデバイスまたはシステムを作成および使用したり組み込まれた方法を実行したりすることを含む本発明の実施形態を実現できるようにするものである。本発明の特許性の範囲は特許請求の範囲によって定義され、当業者が想到する他の例を含み得る。このような他の例は、それらの例が請求項の文言と相違しない構造要素を有している場合、またはそれらの例が請求項の文言と実質的に相違しない同等の構造要素を含む場合、請求項の範囲内にあることが意図される。
【００３７】
本明細書において、「１つ」という文言で始まり単数形で列挙される要素またはステップは、除外することが明示的に述べられない限り、複数の要素またはステップを除外するものでないと理解されるべきである。さらに、本発明の「一実施形態」への言及は、列挙された特徴を同様に組み込む追加の実施形態の存在を除外するものとして解釈されることを意図していない。さらに、明確に反対の記述がない限り、特定の特性を有する要素または複数の要素を「備える」、「含む」、または「有する」実施形態は、その特性を持たない追加のそのような要素を含み得る。
【００３８】
本明細書に含まれる本発明の思想および範囲から逸脱することなく上記の発明に特定の変更を加えることができるため、添付の図面に示される上記の説明の主題はすべて、本明細書において本発明の概念を示す単なる例として解釈されるものであり、本発明を限定するものとして解釈すべきではない。
【図１】
0006874203.tif 000002
【図２】
0006874203.tif 000003
【図３】
0006874203.tif 000004
【図４】
0006874203.tif 000005
【図５】
0006874203.tif 000006
【図６】
0006874203.tif 000007
【図７】
0006874203.tif 000008
【図８】
0006874203.tif 000009
【図９】
0006874203.tif 000010
【図１０】
0006874203.tif 000011
【図１１】
0006874203.tif 000012
【図１２】
0006874203.tif 000013
【図１３】
0006874203.tif 000014
【図１４】
0006874203.tif 000015